【手続補正書】
【提出日】平成27年7月7日(2015.7.7)
【手続補正１】
【補正対象書類名】特許請求の範囲
【補正対象項目名】全文
【補正方法】変更
【補正の内容】
【特許請求の範囲】
【請求項１】
車両から取得した車両情報をサーバに送信する通信端末と、前記通信端末から受信した車両情報を解析して車両を診断するサーバと、を備えた車両診断システムにおいて、
前記サーバは、車両から取得すべき診断に必要な車両情報の項目を前記通信端末に通知する取得項目通知手段を備え、
前記通信端末は、前記サーバから通知された車両情報の項目にしたがって車両から車両情報を取得し、その取得した車両情報をリアルタイムに前記サーバに送信し、
前記サーバは、診断の内容や診断の対象とする車両の区分に応じて、車両から取得すべき診断に必要な車両情報の項目を決定する取得項目決定手段を備え、
前記取得項目通知手段は、前記取得項目決定手段により決定された車両情報の項目を当該通信端末に通知し、
前記必要な車両情報の項目とは車両のダイアグを含めたエンジンの診断に必要な複数の車両情報の項目であり、
前記サーバは、前記車両情報として車両のダイアグを取得するダイアグ取得手段と、診断の対象とする車両のダイアグが前記ダイアグ取得手段により取得されたとの判断に基づいて、前記ダイアグ以外のエンジンの診断に必要な車両情報の項目についての診断の実施を回避する診断回避手段と、を備えたことを特徴とする車両診断システム。
【請求項２】
請求項１に記載した車両診断システムにおいて、
前記取得項目決定手段は、診断の内容が駆動機構の診断である場合には、診断の対象とする車両の駆動機構の特性に応じて、車両から取得すべき診断に必要な車両情報の項目を決定することを特徴とする車両診断システム。
【請求項３】
請求項１又は２に記載した車両診断システムにおいて、
前記サーバは、前記車両情報として車両のデータを取得するデータ取得手段と、車両のデータが前記データ取得手段により取得された場合に基準値と比較して診断結果を判定する診断結果判定手段と、を備えたことを特徴とする車両診断システム。
【請求項４】
請求項３に記載した車両診断システムにおいて、
前記サーバは、診断の内容や診断の対象とする車両の経時変化に応じて、前記基準値を決定する基準値決定手段を備えたことを特徴とする車両診断システム。
【請求項５】
請求項４に記載した車両診断システムにおいて、
前記基準値決定手段は、過去に車両から取得した車両情報に応じて、前記基準値を動的に決定することを特徴とする車両診断システム。
【請求項６】
請求項１から５の何れか一項に記載した車両診断システムにおいて、
前記サーバは、前記通信端末が車両からデータを取得する速度を示すサンプリング速度による診断可否条件があるか否かを判定する診断可否条件判定手段と、サンプリング速度による診断可否条件があると前記診断可否条件判定手段により判定された場合に診断可能条件を前記通信端末に通知する診断可能条件通知手段と、を備えたことを特徴とする車両診断システム。
【請求項７】
請求項１から６の何れか一項に記載した車両診断システムにおいて、
前記サーバは、車両の駆動機構の温度を取得する駆動機構温度取得手段と、前記駆動機構温度取得手段により取得された駆動機構の温度に基づいて駆動機構の暖機要否を判定する暖機要否判定手段と、暖機要が前記暖機要否判定手段により判定された場合に暖機が必要であることを前記通信端末に通知する暖機必要通知手段と、を備えたことを特徴とする車両診断システム。
【請求項８】
請求項３から７の何れか一項に記載した車両診断システムにおいて、
前記サーバは、前記通信端末が車両から取得したデータの再取得要否を判定するデータ再取得要否判定手段を備えたことを特徴とする車両診断システム。
【請求項９】
請求項８に記載した車両診断システムにおいて、
前記データ再取得要否判定手段は、車両の特性毎に異なるデータ再取得判定条件を有し、前記通信端末が車両から取得したデータ及び前記データ再取得判定条件に基づいてデータの再取得要否を判定することを特徴とする車両診断システム。
【請求項１０】
請求項８又は９に記載した車両診断システムにおいて、
データの再取得要が前記データ再取得要否判定手段により判定された場合にデータの再取得が必要であることを前記通信端末に通知するデータ再取得必要通知手段を備えたことを特徴とする車両診断システム。
【請求項１１】
請求項８から１０の何れか一項に記載した車両診断システムにおいて、
前記通信端末が車両からデータを取得した速度を示すサンプリング速度を判定するサンプリング速度判定手段を備え、
前記データ再取得要否判定手段は、前記サンプリング速度判定手段により判定されたサンプリング速度に基づいてデータの再取得要否を判定することを特徴とする車両診断システム。
【請求項１２】
請求項８から１０の何れか一項に記載した車両診断システムにおいて、
作業者の操作が所定の範囲内であるか否かを判定する作業者操作判定手段を備え、
前記データ再取得要否判定手段は、前記作業者操作判定手段により判定された作業者の操作が所定の範囲内であるか否かに基づいてデータの再取得要否を判定することを特徴とする車両診断システム。
【請求項１３】
車両から取得した車両情報をサーバに送信する通信端末と共に車両診断システムを構成し、前記通信端末から受信した車両情報を解析して車両を診断するサーバにおいて、
診断の内容や診断の対象とする車両の区分に応じて、車両から取得すべき診断に必要な車両情報の項目を決定する取得項目決定手段と、
車両から取得すべき診断に必要な車両情報の項目として、前記取得項目決定手段により決定された車両情報の項目であり、車両のダイアグを含めたエンジンの診断に必要な複数の車両情報の項目を前記通信端末に通知する取得項目通知手段と、
前記車両情報として車両のダイアグを取得するダイアグ取得手段と、
診断の対象とする車両のダイアグが前記ダイアグ取得手段により取得されたとの判断に基づいて、前記ダイアグ以外のエンジンの診断に必要な車両情報の項目についての診断の実施を回避する診断回避手段と、を備えたことを特徴とするサーバ。
【請求項１４】
車両から取得した車両情報をサーバに送信する通信端末と共に車両診断システムを構成し、前記通信端末から受信した車両情報を解析して車両を診断するサーバに設けられているコンピュータに、
診断の内容や診断の対象とする車両の区分に応じて、車両から取得すべき診断に必要な車両情報の項目を決定する手順と、
車両から取得すべき診断に必要な車両情報の項目として、前記取得項目決定手段により決定された車両情報の項目であり、車両のダイアグを含めたエンジンの診断に必要な複数の車両情報の項目を前記通信端末に通知する手順と、
前記車両情報として車両のダイアグを取得する手順と、
診断の対象とする車両のダイアグが前記ダイアグ取得手段により取得されたとの判断に基づいて、前記ダイアグ以外のエンジンの診断に必要な車両情報の項目についての診断の実施を回避する手順と、を実行させるためのコンピュータプログラム。
【請求項１５】
車両から取得した車両情報をサーバに送信する通信端末と共に車両診断システムを構成し、前記通信端末から受信した車両情報を解析して車両を診断するサーバに設けられているコンピュータに、
診断の内容や診断の対象とする車両の区分に応じて、車両から取得すべき診断に必要な車両情報の項目を決定する手順と、
車両から取得すべき診断に必要な車両情報の項目として、前記取得項目決定手段により決定された車両情報の項目であり、車両のダイアグを含めたエンジンの診断に必要な複数の車両情報の項目を前記通信端末に通知する手順と、
前記車両情報として車両のダイアグを取得する手順と、
診断の対象とする車両のダイアグが前記ダイアグ取得手段により取得されたとの判断に基づいて、前記ダイアグ以外のエンジンの診断に必要な車両情報の項目についての診断の実施を回避する手順と、を実行させるためのコンピュータプログラムを記憶する、コンピュータ読み取り可能な非一時的な記憶媒体。
【手続補正２】
【補正対象書類名】明細書
【補正対象項目名】発明の名称
【補正方法】変更
【補正の内容】
【発明の名称】車両診断システム、サーバ、コンピュータプログラム及び記憶媒体
【手続補正３】
【補正対象書類名】明細書
【補正対象項目名】０００１
【補正方法】変更
【補正の内容】
【０００１】
本発明は、車両から取得した車両情報をサーバに送信する通信端末と、前記通信端末から受信した車両情報を解析して車両を診断するサーバと、を備えた車両診断システム、サーバ、コンピュータプログラム及び記憶媒体に関する。
【手続補正４】
【補正対象書類名】明細書
【補正対象項目名】０００５
【補正方法】変更
【補正の内容】
【０００５】
本発明は、上記した事情に鑑みてなされたものであり、その目的は、車両の診断を行う作業者の負担を軽減することができつつ、診断結果を速やかに得ることができる車両診断システム、サーバ、コンピュータプログラム及び記憶媒体を提供することにある。